(57)【要約】【課題】表示手段を有する電子機器を生産ラインで検査するに際し、その電子機器に通信機器を付加することなく、動作遷移等の単純な制御指示を無線且つ無人で確実に行うことを可能とする。【解決手段】電子機器１は、無線のリモートコントローラからの制御信号を無線で受信する受信部１１と、受信部１１で受信した制御信号に基づいて電子機器１を制御する制御部１２と、表示部１５とを備える。制御部１２は、表示部１５における表示を制御する表示制御部１３を有する。表示制御部１３は、電子機器１に所定の動作を実行させるための制御信号が電子機器１の機器検査装置２から無線で発信され、発信された制御信号を受信部１１で受信した場合、その制御信号の受信を示す所定表示を、表示部１５で実行するよう制御する。この所定表示は、少なくとも表示の有無を機器検査装置２で光学的に検出するためのものである。【選択図】図１
2007068079.tif 000002
【特許請求の範囲】
【請求項１】
無線のリモートコントローラで制御可能な電子機器であって、前記リモートコントローラからの制御信号を無線で受信する信号受信手段と、該信号受信手段で受信した制御信号に基づいて当該電子機器を制御する制御手段と、表示手段とを備え、前記制御手段は、前記表示手段における表示を制御する表示制御手段を有し、該表示制御手段は、当該電子機器に所定の動作を実行させるための制御信号が当該電子機器の機器検査装置から無線で発信され、該発信された制御信号を前記信号受信手段で受信した場合、該制御信号の受信を示す所定の表示を、前記表示手段で実行するよう制御し、前記所定の表示は、少なくとも表示の有無を前記機器検査装置で光学的に検出するためのものであることを特徴とする電子機器。
【請求項２】
前記制御手段は、当該電子機器にユーザが使用する際の通常動作を実行させる制御を行う通常モードの他に、当該電子機器の動作確認を行うための検査モードで制御可能とし、前記表示制御手段は、前記検査モードの場合のみ、前記信号受信手段で受信した制御信号に対して前記所定の表示を実行するよう制御することを特徴とする請求項１に記載の電子機器。
【請求項３】
前記所定の動作は、複数種類の動作確認検査を実行するためのそれぞれのモードへ移行させる動作を含むことを特徴とする請求項１又は２に記載の電子機器。
【請求項４】
前記表示手段は、画像を表示する画像表示手段であり、前記所定の動作は、前記表示手段そのものの表示に係わる動作を含むことを特徴とする請求項１乃至３のいずれか１項に記載の電子機器。
【請求項５】
前記表示手段は、画像を表示する画像表示手段であり、当該電子機器は、画像表示装置であることを特徴とする請求項１乃至４のいずれか１項に記載の電子機器。
【請求項６】
請求項１乃至５のいずれか１項に記載の電子機器を検査するための機器検査装置であって、当該電子機器に所定の動作を実行させるための制御信号を発信する信号発信手段と、前記表示手段で表示された所定の表示の少なくとも有無を光学的に検出する表示検出手段とを備えたことを特徴とする機器検査装置。
【請求項７】
無線のリモートコントローラで制御可能で且つ表示手段を備えた電子機器を検査するための機器検査方法であって、前記電子機器の生産ラインに、機器検査装置を設置し、前記生産ライン上の前記電子機器に向かって、前記電子機器に所定の動作を実行させるための制御信号を前記機器検査装置から無線で発信させ、前記制御信号を受信した前記電子機器に具備された前記表示手段で、該制御信号の受信を示す所定の表示を行わせ、該所定の表示の少なくとも有無を前記機器検査装置にて光学的に検出することで、前記所定の動作に対する動作確認を行うことを特徴とする機器検査方法。
【請求項８】
無線のリモートコントローラで制御可能な電子機器に組み込み、該電子機器の演算処理装置に実行させるためのプログラムであって、前記電子機器は、前記リモートコントローラからの制御信号を無線で受信する信号受信手段と、表示手段とを備え、当該プログラムは、前記表示手段における表示を制御する表示制御ステップを、前記演算処理装置に実行させるためのプログラムを含み、前記表示制御ステップは、前記電子機器に所定の動作を実行させるための制御信号が前記電子機器の機器検査装置から無線で発信され、該発信された制御信号を前記信号受信手段で受信した場合に、該制御信号の受信を示す所定の表示を、前記表示手段で実行するよう制御し、前記所定の表示は、少なくとも表示の有無を前記機器検査装置で光学的に検出するためのものであることを特徴とするプログラム。
【請求項９】
請求項８に記載のプログラムを記録したコンピュータ読み取り可能な記録媒体。
【発明の詳細な説明】
【技術分野】
【０００１】
本発明は、電子機器、機器検査装置、機器検査方法、プログラム、及び記録媒体に関し、より詳細には、表示手段を有する電子機器、その電子機器の動作を検査するための機器検査装置及び機器検査方法、その電子機器に組み込むためのプログラム、並びにそのプログラムを記録したコンピュータ読み取り可能な記録媒体に関する。
【背景技術】
【０００２】
電子機器は、通常、生産ラインにおいて動作確認や各種設定値の調整がなされた後、流通される。このような動作確認を行う検査工程や各種設定値を調整する調整工程においては、検査設備側と電子機器側とを有線にて接続するか、或いは赤外線等の無線制御信号で通信するかにより、検査設備側から電子機器を制御している。
【０００３】
通信の確実性を考慮した場合、有線接続を採用すればよい。また、機械化された生産ラインで検査設備側と電子機器（製品）側とを外部バスに有線で接続し、その接続を相互通信可能とすることで、設定値の調整等の際に必要となる種々のやりとりが可能となる。
【０００４】
生産ラインにおける無線接続の例として、特許文献１には、コンタクトレスデータ伝送方式を用いた自動生産ライン設備制御における双方向通信に関する技術が開示されている。特許文献１に記載の自動生産ライン設備制御方式では、生産対象品を載置してライン上を移動する台板とライン外の装置との間で、双方向通信を用いて生産制御のための情報の授受を行う際、双方向通信の往路と復路の信号を分離するため、信号の重なる部分に対して送信位置において往路と復路の信号波の位相を異なるように調整する。また、特許文献２には、車載電子機器の通信チャネルとその検査装置の通信チャネルを車両の搬送位置に応じて切り換える技術が開示されている。
【０００５】
特許文献１，２をはじめとする双方向通信技術は、上述のごとく検査／調整工程においても利用できるものであるが、検査工程においては、設定値の調整等の双方向通信が必要な工程ばかりでなく、双方向通信が必要ない工程も存在する。例えばモードチェンジ等の動作遷移を実行するだけといった単純な指示を電子機器側に伝えればよいだけの工程がそれに該当する。そして、このような単純な指示を電子機器側に伝えるだけでよい工程においては、有線接続はもとより、無線接続であっても通信チャンネルを確立して双方向通信を行うようなことを実行しようとすると、工程毎に一回一回接続が必要であり、設備的にかなり大きくなる。
【０００６】
従って、このような単純な工程では、有線接続が有効でないだけでなく、双方向通信の無線接続も有効でない。そこで、赤外線の遠隔制御信号（Ｒ／Ｃ信号）をはじめとする単方向の無線信号を用い、生産ラインを有人とする。有人の生産ラインにおいては、赤外線Ｒ／Ｃ信号であっても各工程で製品（電子機器）が正常に動作遷移しているか否かは人が判断できる。従って、赤外線Ｒ／Ｃ信号の受信ミスのままで各工程の調整／検査に移行するといった事態は、有人の生産ラインの場合には避けることができる。
【０００７】
また、経費節減のため、このような単方向の無線信号で検査対象となる電子機器を制御することで、生産ラインの設備の縮小を図るだけではなく、生産ラインに必要な人員も削減することも要求されてくる。このような要求を満たすためには、自動化生産ライン（無人の生産ライン）とし、その調整／検査工程において、設備側から製品側の各種動作遷移に無線信号（特に単方向の無線信号、例えば赤外線Ｒ／Ｃ信号）を利用するとよい。
【特許文献１】特開平５−３２９７５３号公報
【特許文献２】特開２００４−３０６７５８号公報
【発明の開示】
【発明が解決しようとする課題】
【０００８】
しかしながら、上述のごとく生産ラインの設備縮小及び無人化を図った場合、調整／検査に不具合が発生した時、その不具合が、Ｒ／Ｃ信号等の無線信号が製品（電子機器）側で正確に受信できなかったためのものか、製品内部の動作不具合によるものかの判定ができない。このような課題は、生産ラインの一部において無人となる位置での工程でも生じ得る。
【０００９】
本発明は、上述のごとき実情に鑑みてなされたものであり、表示手段を有する電子機器を生産ラインで検査するに際し、その電子機器に通信機器を付加することなく、動作遷移等の単純な制御指示を無線且つ無人で確実に行うことが可能な電子機器、その電子機器の動作を検査するための機器検査装置及び機器検査方法、その電子機器に組み込むためのプログラム、並びにそのプログラムを記録したコンピュータ読み取り可能な記録媒体を提供することを、その目的とする。
【課題を解決するための手段】
【００１０】
本発明は、上述のごとき課題を解決するために、以下の各技術手段でそれぞれ構成される。
【００１１】
第１の技術手段は、無線のリモートコントローラで制御可能な電子機器であって、前記リモートコントローラからの制御信号を無線で受信する信号受信手段と、該信号受信手段で受信した制御信号に基づいて当該電子機器を制御する制御手段と、表示手段とを備え、前記制御手段は、前記表示手段における表示を制御する表示制御手段を有し、該表示制御手段は、当該電子機器に所定の動作を実行させるための制御信号が当該電子機器の機器検査装置から無線で発信され、該発信された制御信号を前記信号受信手段で受信した場合、該制御信号の受信を示す所定の表示を、前記表示手段で実行するよう制御し、前記所定の表示は、少なくとも表示の有無を前記機器検査装置で光学的に検出するためのものであることを特徴としたものである。
【００１２】
第２の技術手段は、第１の技術手段において、前記制御手段は、当該電子機器にユーザが使用する際の通常動作を実行させる制御を行う通常モードの他に、当該電子機器の動作確認を行うための検査モードで制御可能とし、前記表示制御手段は、前記検査モードの場合のみ、前記信号受信手段で受信した制御信号に対して前記所定の表示を実行するよう制御することを特徴としたものである。
【００１３】
第３の技術手段は、第１又は第２の技術手段において、前記所定の動作は、複数種類の動作確認検査を実行するためのそれぞれのモードへ移行させる動作を含むことを特徴としたものである。
【００１４】
第４の技術手段は、第１乃至第３のいずれかの技術手段において、前記表示手段は、画像を表示する画像表示手段であり、前記所定の動作は、前記表示手段そのものの表示に係わる動作を含むことを特徴としたものである。
【００１５】
第５の技術手段は、第１乃至第４のいずれかの技術手段において、前記表示手段は、画像を表示する画像表示手段であり、当該電子機器は、画像表示装置であることを特徴としたものである。
【００１６】
第６の技術手段は、第１乃至第５のいずれかの技術手段における電子機器を検査するための機器検査装置であって、当該電子機器に所定の動作を実行させるための制御信号を発信する信号発信手段と、前記表示手段で表示された所定の表示の少なくとも有無を光学的に検出する表示検出手段とを備えたことを特徴としたものである。
【００１７】
第７の技術手段は、無線のリモートコントローラで制御可能で且つ表示手段を備えた電子機器を検査するための機器検査方法であって、前記電子機器の生産ラインに、機器検査装置を設置し、前記生産ライン上の前記電子機器に向かって、前記電子機器に所定の動作を実行させるための制御信号を前記機器検査装置から無線で発信させ、前記制御信号を受信した前記電子機器に具備された前記表示手段で、該制御信号の受信を示す所定の表示を行わせ、該所定の表示の少なくとも有無を前記機器検査装置にて光学的に検出することで、前記所定の動作に対する動作確認を行うことを特徴としたものである。
【００１８】
第８の技術手段は、無線のリモートコントローラで制御可能な電子機器に組み込み、該電子機器の演算処理装置に実行させるためのプログラムであって、前記電子機器は、前記リモートコントローラからの制御信号を無線で受信する信号受信手段と、表示手段とを備え、当該プログラムは、前記表示手段における表示を制御する表示制御ステップを、前記演算処理装置に実行させるためのプログラムを含み、前記表示制御ステップは、前記電子機器に所定の動作を実行させるための制御信号が前記電子機器の機器検査装置から無線で発信され、該発信された制御信号を前記信号受信手段で受信した場合に、該制御信号の受信を示す所定の表示を、前記表示手段で実行するよう制御し、前記所定の表示は、少なくとも表示の有無を前記機器検査装置で光学的に検出するためのものであることを特徴としたものである。
【００１９】
第９の技術手段は、第８の技術手段におけるプログラムを記録したコンピュータ読み取り可能な記録媒体である。
【発明の効果】
【００２０】
本発明によれば、表示手段を有する電子機器を生産ラインで検査するに際し、その電子機器に通信機器を付加することなく、動作遷移等の単純な制御指示を無線且つ無人で確実に行うことが可能となる。
【発明を実施するための最良の形態】
【００２１】
本発明に係る電子機器は、無線のリモートコントローラ（以下、リモコンという）で制御可能で、且つ表示手段を備えるものとする。従って、本発明に係る電子機器は、リモコンからの制御信号を無線で受信する信号受信手段と、信号受信手段で受信した制御信号に基づいて電子機器を制御する制御手段とを備える。また、本発明に適用可能な電子機器としては、例えば、後述するテレビジョン受像機や各種レコーダ等のオーディオビジュアル機器をはじめ、あらゆる技術分野の機器が挙げられる。
【００２２】
この制御手段は、勿論、ユーザがリモコンを操作することによる制御、すなわちリモコン経由での制御が可能であるだけでなくてもよい。すなわち、この制御手段は、電子機器本体に設けられた操作部によるユーザ操作に基づき電子機器を制御可能としてよい。
【００２３】
また、表示手段としては、後述するように画像を表示する液晶パネル等の表示装置だけでなく、レコーダ等に設けられている受信チャンネルや時刻を表示窓（タイトルウィンドウ）に表示する表示装置、さらには発光ダイオード（ＬＥＤ）等の表示ランプであってもよい。表示用のＬＥＤによって所定表示を行うには、ＬＥＤを所定間隔で点滅させるなどが挙げられる。このような表示手段は、上述の制御手段により主たる制御がなされるものとする。すなわち、この制御手段は、表示手段における表示を制御する表示制御手段を有する。
【００２４】
本発明の主たる特徴として、上述の表示制御手段は、電子機器に所定の動作（１又は複数の所定動作のいずれか）を実行させるための制御信号（信号受信手段で受信可能な制御信号）が電子機器の機器検査装置から無線で発信され、発信された制御信号を信号受信手段で受信した場合、制御信号の受信を示す所定表示を、表示手段で実行するよう制御する。この所定表示は、少なくとも表示の有無を機器検査装置で光学的に検出するためのものとなる。本発明では、このような検出を行うことで、自動化生産ラインにおける調整／検査のために赤外線Ｒ／Ｃ信号等の有線以外の信号であっても確実性を持たせて制御可能とする。
【００２５】
上述の所定の動作としては、複数種類の動作確認検査を実行するためのそれぞれのモードへ移行させる動作を含むようにしてもよい。テレビジョン受像機で例を挙げると、各種外部入力モードとＴＶ入力モードなどの入力切換に関するモードや、シネマモードとフルモードなどの画面表示の拡大や引き延ばしに関するモードなどが挙げられる。このように、本発明で所定表示を行わせる検査とは、実際の検査を行う前の設定処理へ移行するかの検査であることが好ましい。また、この例のように、表示手段が画像を表示する画像表示手段であった場合、所定の動作は、表示手段そのものの表示に係わる動作を含むことが好ましい。表示手段そのものの表示に係わる動作としては、単なるチャンネル切換なども該当する。
【００２６】
また、表示部１５における所定表示を実行する代わりとして、電子機器１に音声出力部を設けると共に制御部１２に音声出力制御部を設けることで、所定音声を出力するよう構成してもよく、この場合、生産ラインのコンベアのノイズを処理すれば実現可能である。
【００２７】
上述のごとき電子機器を検査するための機器検査装置は、生産ラインに配備されるための装置であり、信号発信手段及び表示検出手段を備える。なお、生産ラインとしては、生産後の検査ラインである場合も含む。信号発信手段は、リモコンに具備された信号発信手段と同等のもので構成でき、電子機器に所定の動作を実行させるための制御信号を発信する。勿論、機器検査装置に電子機器のリモコンを具備することで、この信号発信手段の具備を実現してもよい。表示検出手段は、電子機器における表示手段で表示された所定表示の少なくとも有無を光学的に検出する単なる受光素子やＣＣＤセンサ等の光学センサを有する。光学センサの種類は、表示手段で行う所定表示の有無が検出できるか、或いは所定表示として表示されている色や形状や文字などが識別可能に検出できるかによって、決定しておけばよい。
【００２８】
本発明に係る機器検査方法としては、電子機器の生産ラインにこのような機器検査装置を設置し、生産ライン上の電子機器に向かって、電子機器に所定の動作を実行させるための制御信号を機器検査装置から無線で発信させる。そして、制御信号を受信した電子機器に具備された表示手段で、制御信号の受信を示す所定表示を行わせ、その所定表示の少なくとも有無を機器検査装置にて光学的に検出する。このような検出を実行することで、所定の動作に対する動作確認を行うことができる。
【００２９】
図１は、本発明の一実施形態に係る電子機器及びその検査を行うための機器検査装置の一構成例を示すブロック図で、図２は、図１の電子機器の表示部に表示されるＲ／Ｃ信号受信前の画面例で、図３は、図１の電子機器の表示部に表示されるＲ／Ｃ信号受信後の画面例である。
【００３０】
図１で例示する電子機器１は、信号受信手段をもつ受信部１１、制御手段をもつ制御部１２、及び、表示手段をもつ表示部１５を備え、リモコン（リモコン送信機）１０により受信部１１を介して制御可能となっている。制御部１２は表示制御手段をもつ表示制御部１３を有する。また、電子機器１は、本来の目的となる機能を実行するための各種処理部１４を備える。すなわち、各種処理部１４では、電子機器１を使用する目的となる処理（電子機器１における目的の処理）及びそれに付随する処理を実行する部位であり、制御部１２により制御される。但し、電子機器１がＴＶや表示モニタであった場合などには、目的となる処理が主として表示部１５で実行されることとなる。
【００３１】
一方、機器検査装置２は、発信部２１及び表示検出部２２を備え、電子機器１の表示部１５に表示された所定表示を検出可能となっている。なお、所定表示例については、図２及び図３を参照して後述する。従って、表示検出部２２は、電子機器１の生産ライン上において、表示部１５に向かい合った位置に配設される。向かい合った位置としては、電子機器１の表示部１５を生産ラインに並行に向けて搭載し搬送している場合には、表示部１５による所定表示が確認できるようにするために、表示検出部２２をその生産ライン側にセンサ部分を向けて配置するとよい。また、向かい合った位置としては、電子機器１の表示部１５を下向きに生産ラインに搭載して搬送している場合には、表示部１５による所定表示が確認できるようにするために、その生産ラインの搭載台に切り取り部（穴部）を設け、所定表示を下側から検出できるように表示検出部２２を配置するとよい。表示部１５を下向きに向けて流すことで、表示部１５と表示検出部２２との距離を、各電子機器１に対して一定に保つことができる。なお、表示検出部２２は、表示部１５による所定表示の有無や所定表示画像を、光学的に識別して確認する識別部或いは受光部であるとも言える。
【００３２】
制御部１２は、各部の制御（表示部１５への表示制御も含む）をするマイクロコンピュータ（以下、マイコンという）がバスで接続されるなどして構成される。表示部１５は、表示装置などで構成され、モード遷移指示などに基づき、本発明に係る所定表示を行うほか、所定表示後の検査工程においては設定操作を補助するために設定項目及びその内容などを表示する。
【００３３】
このようなマイコンには、本発明に係る所定表示用プログラムや各種処理部１４での処理用プログラムを含むプログラムを格納するためのＲＯＭ（Ｒｅａｄ  Ｏｎｌｙ  Ｍｅｍｏｒｙ）等の不揮発性メモリと、本発明に係る所定表示用データや、モード遷移指示後に有線や無線による通信で設定する調整値を保存するための不揮発性メモリとが接続される。マイコンの内部にはＣＰＵ（Ｃｅｎｔｒａｌ  Ｐｒｏｃｅｓｓｉｎｇ  Ｕｎｉｔ），ＭＰＵ（Ｍｉｃｒｏ  Ｐｒｏｃｅｓｓｉｎｇ  Ｕｎｉｔ）等の演算処理装置とプログラムの実行領域となるＲＡＭ等の揮発性メモリとが設けられている。
【００３４】
上述の所定表示用プログラムは、表示部１５における表示を制御する表示制御ステップを、演算処理装置に実行させるためのプログラムを含み、表示制御ステップは、電子機器１に所定の動作を実行させるための制御信号が電子機器１の機器検査装置２から無線で発信され、発信された制御信号を受信部１１で受信した場合に、制御信号の受信を示す所定表示を、表示部１５で実行するよう制御する。
【００３５】
Ｒ／Ｃ信号受信前の表示部１５における表示例としては、図２（Ａ）で例示したように映像１６と所定表示映像１７とを表示させるようにしてもよいし、単純に図２（Ｂ）で例示したように映像１６のみを表示させるようにしてもよい。さらに、現在のモードやチャンネルの情報をＯＳＤ（Ｏｎ  Ｓｃｒｅｅｎ  Ｄｉｓｐｌａｙ）表示するようにしてもよい。
【００３６】
Ｒ／Ｃ信号受信前でも所定表示映像１７を表示する理由としては、図３で例示する受信後の所定表示映像１８ａ〜１８ｆとの差異を識別し易くするためである。従って、所定表示映像１７を表示しなくてもよいが、受信後には移り変わる映像１６と所定表示映像１８ａ〜１８ｆとの差異を識別可能であればよく、検査の工程によっては映像１６自体も表示させないこともあり、その場合には特に所定表示映像１７の非表示は有効である。尚、図２（Ａ）の所定表示映像１７が表示されるのは、通常モードから工程（検査）モードへの移行後でのリモコン制御信号待ち受け時である。
【００３７】
Ｒ／Ｃ信号の受信後は、表示部１５に図３（Ａ）〜（Ｆ）で例示するような所定表示映像１８ａ〜１８ｆを表示する。所定表示映像１８ａを例えば赤色の矩形の映像、所定表示映像１８ｂを例えば緑色の矩形の映像、所定表示映像１８ｃを例えば青色の矩形の映像などとし、発信部２１からの制御信号に基づき色分けして、機器検査装置２では発した制御信号に対応した所定表示が表示部１５でなされているかを表示検出部２２で検出すればよい。また、受信後の所定表示映像は、図３（Ｄ）〜（Ｆ）で例示する所定表示映像１８ｄ〜１８ｆのように文字を表示しておいてもよい。この場合、識別を容易とするために、図示するように所定の矩形領域を色付けした上でその色との差異が容易に識別できる色の文字を表示するようにすることが好ましい。また、各制御信号の受信に対して区別なく単順にその受信を示すのみであれば、上記の所定表示映像１８を例えば白色の矩形の映像とし、ＯＰＣセンサのような明るさの変化のみの検出でも可能である。
【００３８】
また、検査工程（調整／検査工程）における操作と出荷後にユーザがリモコン１０により行う操作とが、マイコン等でなる制御部１２で区別できなければならない。すなわち、現在が検査工程なのか使用時なのかを制御部１２が判断できないと、ユーザ操作時にも所定表示がなされてしまうことになる。
【００３９】
このような区別を可能とするためには、ユーザ使用時の通常モードとは別に検査工程専用の検査モードを持たせておき、検査モードである場合のみ所定表示を実行させるようにすればよい。なお、上述した通常モードには、ユーザ自身に調整値を設定させるユーザ調整モードも含まれるものとする。
【００４０】
例えば、自動生産ラインにおける調整／検査工程において、機器検査装置２側（設備側）と電子機器１側（製品側）とで通信を行うに際し、工程での調整／検査用としての専用のモードを持たせ、専用のモードでは、通常モードとは異なり電子機器１がＲ／Ｃ信号を受信すると、表示画面の特定の表示位置の表示内容を変化させるような動作を行わせる。この動作は、例えば電子機器１が内部機能として有しているＯＳＤ機能を活用して行わせてもよい。
【００４１】
さらに具体的には、機器検査装置２側からの調整／検査用各種動作遷移のための赤外線Ｒ／Ｃ信号を電子機器１側が正常に受信できた場合に、電子機器１側の表示画面の特定表示位置の表示内容を、例えば図２（Ａ）で例示する黒のパターンから図３（Ａ）〜（Ｃ）で例示するようなＲＧＢの単色パターンで０．５秒程度表示させ、機器検査装置２側のカラーセンサ等にて電子機器１側の表示画面の特定表示位置の表示内容変化を検出させることにより、電子機器１側からの赤外線Ｒ／Ｃ信号を正常に受信した旨のリターン信号とする。また、ＲＧＢ単色パターンの替わりに例えば図３（Ｄ）で例示した“ＯＫ”等の文字を表示させ、ＣＣＤ等のセンサにより表示画面上の表示文字を事前登録済みのグラフィックイメージとのパターンとの比較（パターンマッチング）を行うことにより、電子機器１側からの赤外線Ｒ／Ｃ信号を正常受信した旨のリターン信号とする。文字等の表示を行うことによって、電子機器１側からの赤外線Ｒ／Ｃ信号を正常受信した旨のリターン信号とする以外に、予め文字信号を数パターン取決めしておけば数種類の設備側と製品側での簡単な通信も可能となる。
【００４２】
換言すると、制御部１２は、電子機器１にユーザが使用する際の通常動作を実行させる制御を行う通常モードの他に、電子機器の動作確認を行うための（電子機器の動作確認検査を行うための）検査モードで制御可能としておく。そして、表示制御部１３は、検査モードで駆動している場合のみ、受信部１１で受信した制御信号に対して所定表示を実行するよう制御するとよい。このようにすることで、検査モードのときの所定表示は、各制御信号に対応し、且つ通常モードのときと異なる表示とすることができる。
【００４３】
以上、本発明では、自動化（無人）ラインの調整／検査工程において、設備側から製品側の各種動作遷移に赤外線Ｒ／Ｃ信号（有線以外）を利用した場合に、製品側が何らかの形で設備側へリターン信号を返すことで、通信の確実性を持たせる。リターン信号は、製品側が表示画面等の表示部を活用して設備側へ返す。しかも、本発明では、リモコンに対応するための受信部が電子機器に備えられており、別途製品に付加することなく、通信の確実性を持たせることができる。また、機器検査装置側も大掛かりにならないので、自動化（無人）ラインの調整／検査工程が大掛かりにならない。
【００４４】
このように、本発明では、自動化（無人）ラインの調整／検査工程において、設備側から製品側の各種動作遷移に赤外線Ｒ／Ｃ信号（有線以外）の利用が可能となり、非接続での制御ができる。すなわち、本発明によれば、表示手段を有する電子機器を生産ラインで検査するに際し、その電子機器に通信機器を付加することなく、動作遷移等の単純な制御指示を無線且つ無人で確実に行うことが可能となる。
【００４５】
次に、上述した電子機器として、テレビジョン受像機を例に挙げて具体的に説明する。このテレビジョン受像機は、図１の表示部１５に相当する表示装置に映像を表示するものである。このように、図１の表示部１５は画像（映像）を表示する画像表示部であり、図１の電子機器１は画像（映像）表示装置であってもよい。ここでの所定の動作は、画像表示手段における基本画面表示動作を含ませるとよい。
【００４６】
図４は、本発明の他の実施形態に係るテレビジョン受像機及びその検査を行うための機器検査装置の一構成例を示すブロック図で、図５は、図４におけるテレビジョン受像機の外観図である。
【００４７】
図４で例示するテレビジョン受像機３は、アンテナで受信した放送信号を変調するチューナ３１と、外部機器からの映像信号及び音声信号を入力する外部入力端子３２と、チューナ３１や外部入力端子３２などで入力されている信号を選択するためのセレクタ３３と、セレクタ３３で選択された映像信号を復調するデコーダ３４と、デコーダ３４で復調された映像を補正するための映像処理回路３５と、ＯＳＤ表示データを不揮発性メモリ３８などから読み出して映像処理回路３５で補正された映像に重畳するＯＳＤ処理回路３６と、ＯＳＤ処理回路３６から出力された映像を表示するための液晶パネル３７とを備え、さらに、これらの各デバイスの制御やＯＳＤ表示制御をするマイコン３９がバス４１上に接続されている。
【００４８】
また、マイコン３９には、本発明に係る所定表示用プログラムや他の処理回路での処理用プログラムを含むプログラムを格納するためのＲＯＭ等の不揮発性メモリ４０と、本発明に係る所定表示用データや各種調整値を保存するためのＥＥＰＲＯＭ等の不揮発性メモリ３８とが接続され、マイコン３９の内部にはＣＰＵ，ＭＰＵ等の中央演算処理装置とプログラムの実行領域となるＲＡＭ等の揮発性メモリとが設けられている。さらに、マイコン３９には、図示しないユーザ操作部と共に、リモコン４３からなされたユーザ操作の信号を受け取るための受光部４２が接続されている。
【００４９】
機器検査装置５における発光部５１からの制御信号を受光部４２で受信すると、マイコン３９が上述の所定表示用プログラムを実行することで液晶パネル３７に所定表示がなされるよう制御する。液晶パネル３７に表示された図３で例示するような所定表示は、発光部５１が発した制御信号のリターン信号として、機器検査装置５の表示検出センサ５２により検出される。なお、液晶パネル３７の前面に、受光部４２や明るさセンサ４４などと共に設けられている、電源ランプ４５やオンタイマランプ４６を所定間隔や所定パターンで点滅表示させることで、所定表示としてもよい。
【００５０】
テレビジョン受像機３に対する調整／検査工程が、表示画面が左右上下に反転するか否かのチェックを行う画面反転動作確認の工程であった場合、モード遷移内容の例としては、左右上下の切換えが挙げられる。左右上下の切換えとしては、正常な表示から時計方向９０°回転させた表示、さらに時計方向９０°回転させた表示を行うことで切換えてもよいし、左右上下を一度に行い、対角方法に反転させるダイレクト遷移を行わせてもよい。このようなモード遷移は、所定表示として格子状の少なくとも４つの領域で白黒に色付けしたものを表示させ、表示検出センサ５２でその表示を検出することで、リターン信号となり得る。
【００５１】
また、モード遷移自体を液晶パネル３７での表示として検出し難い次のような調整／検査工程では、別途所定表示用データを用意しておき遷移に伴って表示させるとよい。
【００５２】
調整／検査工程が、設置場所での明るさに応じて画面の明るさが変化するか否かのチェックを行うＯＰＣ（明るさセンサ４４）の動作確認の工程であった場合、モード遷移内容の例としては、ＯＰＣのＯＮ／ＯＦＦ切換えや、ＯＰＣ検出セルよりの電圧を製品内部のメモリへ書き込み（画面の明るさではなく、マイコンへの検出セル電圧で代用）などが挙げられる。
【００５３】
調整／検査工程が、短時間停電時等の製品内バックアップを行う時計設定／バックアップ機能動作確認の工程であった場合、モード遷移内容の例としては、この機能の次の動作チェックが挙げられる。すなわち、時刻設定や、停電復帰後の時刻を製品内部のメモリへ書き込みなどが挙げられる。ここで、バックアップ動作時に内部機能しているのは時計機能のみであるため、この動作が正常であるか否かでバックアップ機能の確認を行う。
【００５４】
調整／検査工程が、アンテナからのＲＦ信号内より送られているチャンネルをピックアップできているか否かのチェックを行うオートプリセット動作確認の工程であった場合、モード遷移内容の例としては、オートプリセット動作のスタートが挙げられる。なお、オートプリセット動作そのものは、既にソフトウェア或いはファームウェアとしてテレビジョン受像機３内に組み込まれている。
【００５５】
調整／検査工程が、製品の外部ＡＶ入力端子からの信号が正常に表示されている否かのチェックを行う外部ＡＶ入出力端子検査の工程であった場合、モード遷移内容の例としては、ＡＶ−１／ＡＶ−２／（ＡＶ−３）等の外部ＡＶ入力の切換え（トグル動作ではなく、ダイレクト遷移モードで行う）や、ＡＶ−２端子の入力／出力モードの切り替えが挙げられる。なお、この場合には、液晶パネル３７の右上等にＯＳＤ表示されている情報などによって、モード遷移自体を液晶パネル３７での表示として検出することも可能である。
【００５６】
調整／検査工程が、ＲＦ受信信号時におけるＡＤコンバータのＡＧＣ（Ａｕｔｏ  Ｇａｉｎ  Ｃｏｎｔｒｏｌ）−ＯＦＦ時のゲイン調整を行うアンテナ入力時のゲイン調整の工程であった場合、モード遷移内容の例としては、ゲイン調整動作のスタートが挙げられる。なお、ゲイン調整動作そのものは、既にソフトウェア或いはファームウェアとしてテレビジョン受像機３内に実行可能に組み込まれている。
【００５７】
調整／検査工程が、輝点／黒点のパネル欠陥を検査を行う輝点／黒点パネル欠陥確認の工程であった場合、モード遷移内容の例としては、検査用製品内部パターン信号の出力及び信号切換えが挙げられる。
【００５８】
本発明では、自動化（無人）ラインの調整／検査工程において、このような設備側から製品側の遷移或いは他の動作に対しても赤外線Ｒ／Ｃ信号（有線以外）の利用が可能となり、非接続での制御ができる。すなわち、本発明によれば、テレビジョン受像機３のごとき画像表示装置においても、その電子機器に別途通信機器を付加することなく、動作遷移等の単純な制御指示を無線且つ無人で確実に行うことが可能となる。
【００５９】
さらに、本発明は、上述のごときプログラム或いはプログラム及び所定表示用のデータを記録したコンピュータ読み取り可能な記録媒体としての形態も採用できる。このような記録媒体としては、具体的には、ＣＤ−ＲＯＭ、光磁気ディスク、ＤＶＤ−ＲＯＭ、ＦＤ、フラッシュメモリ、及びその他各種ＲＯＭやＲＡＭ等が想定できる。そして、上述のごときプログラムやデータを記録媒体に記録して流通させることにより、本発明に係る機能の実現を容易にする。このプログラムは、例えば、上述のごとくの記録媒体を、電子機器に装着するか或いは電子機器に接続された記録媒体読取装置に接続して、その電子機器によりプログラムを読み出すか、若しくは電子機器が備えているハードディスク等の記録媒体に当プログラムを記憶させておき、必要に応じて読み出すことにより、本発明に係わる機能を実行することができる。
【図面の簡単な説明】
【００６０】
【図１】本発明の一実施形態に係る電子機器及びその検査を行うための機器検査装置の一構成例を示すブロック図である。
【図２】図１の電子機器の表示部に表示されるＲ／Ｃ信号受信前の画面例である。
【図３】図１の電子機器の表示部に表示されるＲ／Ｃ信号受信後の画面例である。
【図４】本発明の他の実施形態に係るテレビジョン受像機及びその検査を行うための機器検査装置の一構成例を示すブロック図である。
【図５】図４におけるテレビジョン受像機の外観図である。
【符号の説明】
【００６１】
１…電子機器、２，５…機器検査装置、３…テレビジョン受像機、１０，４３…リモコン送信機、１１…受信部、１２…制御部、１３…表示制御部、１４…各種処理部、１５…表示部、２１…発信部、２２…表示検出部、３１…チューナ、３２…外部入力端子、３３…セレクタ、３４…デコーダ、３５…映像処理回路、３６…ＯＳＤ処理回路、３７…液晶パネル、３８，４０…不揮発性メモリ、３９…マイコン、４１…バス、４２…受光部、４４…明るさセンサ、４５…電源ランプ、４６…オンタイマランプ、５１…発光部、５２…表示検出センサ。
【図１】
2007068079.tif 000003
【図２】
2007068079.tif 000004
【図３】
2007068079.tif 000005
【図４】
2007068079.tif 000006
【図５】
2007068079.tif 000007